(57)【要約】【課題】温度センサ等の追加部品を使用することなく、無線受信装置における受信状態を含めた無線通信状態に関する情報を検知し、検知した情報に基づき無線送信装置および無線受信装置の冷却制御を行うことにより、無線通信の品質を維持・向上させ、消費電力や騒音を抑制することが可能な無線通信システムを提供する。【解決手段】無線通信システムを構成する無線受信装置は、無線受信状態の良否を示すエラーレート等の通信状態情報を検知して、検知した該通信状態情報に基づき自装置の冷却手段の冷却能力を制御すると共に、検知した該通信状態情報を無線通信システムの他の構成装置である無線送信装置に送信し、無線送信装置は、無線受信装置から受信した該通信状態情報に基づき、自装置の冷却手段の冷却能力を制御する。【選択図】図３
2011087216.tif 000002
【特許請求の範囲】
【請求項１】
無線送信装置と少なくとも１つの無線受信装置とで構成され、互いに無線通信を行う無線通信システムであって、
前記無線受信装置は、
前記無線送信装置から送信された無線情報を受信するとともに、前記無線送信装置に対して無線情報を送信する無線手段Ａと、
前記無線送信装置から送信された無線情報を前記無線手段Ａから受け取って信号処理を行う信号処理手段Ａと、
前記無線送信装置との間の無線通信が良好な状態であるか否かを表す通信状態情報を、所定の時刻毎に検知する検知手段Ａと、
前記無線受信装置を構成する各手段の内、少なくとも前記無線手段Ａを冷却する冷却手段Ａと、
前記検知手段Ａが検知した前記通信状態情報に基づき、前記冷却手段Ａの冷却能力を制御する制御手段Ａと、
を備えたことを特徴とする無線通信システム。
【請求項２】
前記通信状態情報は、受信電力の大きさを表す情報、またはパケットエラーレートに関する情報、または前記無線手段Ａにおける受信増幅器の増幅量をコントロールする電圧に関する情報であることを特徴とする請求項１記載の無線通信システム。
【請求項３】
前記制御手段Ａは、前記通信状態情報と前記冷却手段Ａの冷却能力に関する数値を関連付けた相関テーブルを保持し、前記相関テーブルに基づき、前記検知手段Ａにおいて所定の時間毎に検知される前記通信状態情報から前記数値を算出し、算出した前記数値に基づいて前記冷却手段Ａの冷却能力を制御することを特徴とする請求項１記載の無線通信システム。
【請求項４】
前記制御手段Ａは、前記検知手段Ａにおいて所定の時刻毎に検知される前記通信状態情報を、少なくとも１つ前に検知された前記通信状態情報と比較して、通信状態が良化したか悪化したかを判断し、良化したと判断した場合には、前記冷却手段Ａの冷却能力を所定量低下させるように制御し、悪化したと判断した場合には、前記冷却手段Ａの冷却能力を所定量高めるように制御することを特徴とする請求項１記載の無線通信システム。
【請求項５】
前記無線送信装置は、
前記無線受信装置に対して無線送信を行うとともに、前記無線受信装置から送信された無線情報を受信する無線手段Ｂと、
無線送信するための信号の処理を行って前記無線手段Ｂに渡すとともに、前記無線受信装置から送信された無線情報を前記無線手段Ｂから受け取って信号処理を行う信号処理手段Ｂと、
前記無線手段Ｂから送信される無線送信電力に関する情報あるいは前記無線受信装置から受信した無線情報に含まれる前記通信状態情報を、所定の時刻毎に検知する検知手段Ｂと、
前記無線送信装置を構成する各手段の内、少なくとも前記無線手段Ｂを冷却する冷却手段Ｂと、
前記検知手段Ｂが検出した情報に基づき、前記冷却手段Ｂの冷却能力を制御する制御手段Ｂと、を備えたことを特徴とする請求項１乃至４記載の無線通信システム。
【請求項６】
前記制御手段Ｂは、前記無線送信電力に関する情報あるいは前記通信状態情報と、前記冷却手段Ｂの冷却能力に関する数値を関連付けた相関テーブルを保持し、前記相関テーブルに基づき、前記検知手段Ｂにおいて所定の時刻毎に検知される前記無線送信電力に関する情報あるいは前記通信状態情報から前記数値を算出し、算出した前記数値に基づいて前記冷却手段Ｂの冷却能力を制御することを特徴とする請求項５記載の無線通信システム。
【請求項７】
前記制御手段Ｂは、前記検知手段Ｂにおいて所定の時刻毎に検知される前記無線送信電力に関する情報あるいは前記通信状態情報を、少なくとも１つ前に検知された前記通信状態情報と比較して、通信状態が良化したか悪化したかを判断し、良化したと判断した場合には、前記冷却手段Ｂの冷却能力を所定量低下させるように制御し、悪化したと判断した場合には、前記冷却手段Ｂの冷却能力を所定量高めるように制御することを特徴とする請求項５記載の無線通信システム。
【請求項８】
無線送信装置から送信される無線情報を受信する無線受信装置であって、
前記無線送信装置から送信された無線情報を受信する無線手段と、
前記無線送信装置から送信された無線情報を前記無線手段から受け取って信号処理を行う信号処理手段と、
前記無線送信装置との間の無線通信が良好な状態であるか否かを表す通信状態情報を、所定の時刻毎に検知する検知手段と、
自装置を構成する各手段の内、少なくとも前記無線手段を冷却する冷却手段と、
前記検知手段が検知した前記通信状態情報に基づき、前記冷却手段の冷却能力を制御する制御手段と、
を備えたことを特徴とする無線受信装置。
【請求項９】
前記通信状態情報は、受信電力の大きさを表す情報、またはパケットエラーレートに関する情報、または前記無線手段における受信増幅器の増幅量をコントロールする電圧に関する情報であることを特徴とする請求項８記載の無線受信装置。
【請求項１０】
前記制御手段は、前記通信状態情報と前記冷却ファンの冷却能力に関する数値を関連付けた相関テーブルを保持し、前記相関テーブルに基づき、前記検知手段において所定の時刻毎に検知される前記通信状態情報から前記数値を算出し、算出した前記数値に基づいて前記冷却ファンの冷却能力を制御することを特徴とする請求項８記載の無線受信装置。
【請求項１１】
前記制御手段は、前記検知手段において所定の時刻毎に検知される前記通信状態情報を、少なくとも１つ前に検知された前記通信状態情報と比較して、通信状態が良化したか悪化したかを判断し、良化したと判断した場合には、前記冷却手段の冷却能力を所定量低下させるように制御し、悪化したと判断した場合には、前記冷却手段の冷却能力を所定量高めるように制御することを特徴とする請求項８記載の無線受信装置。
【発明の詳細な説明】
【技術分野】
【０００１】
本発明は、無線送信装置と少なくとも１つの無線受信装置との間で互いに無線信号を送受信する無線通信システム、並びに無線送信装置から無線信号を受信する無線受信装置に関する。
【背景技術】
【０００２】
無線装置は高速化、大容量化が進み、無線回路、信号処理回路および演算処理回路などにかかる負担が大きくなり、無線回路における消費電力が増加するようになってきた。この消費電力の増加に伴って増大する発熱が、無線回路における無線能力の劣化をきたすため、ファンなどの冷却装置を設けることが多くなっている。
【０００３】
ファンなどの冷却装置を設けて無線回路を冷却させることにより、回路部における温度上昇を抑え、すなわち回路部での効率低下を抑え、無線回路における無線性能の能力劣化を防ぐことや、消費電力の増大を避けることができる。
【０００４】
次に、図６を用いて、従来の一般的な無線伝送装置６００について説明する。なお、図６は、従来の一般的な無線伝送装置の構成を示すブロック図である。
【０００５】
図６において、無線伝送装置６００は、無線部６０１、信号処理部６０２、ファン６０３、定電圧源６０４、プロセッサ６０５およびメモリ６０６で構成されている。
【０００６】
無線部６０１は、一般的に周波数変換回路、信号増幅回路、フィルタ、発信器およびアンテナ等を有しており、所望の周波数および電力の高周波電力信号を生成してアンテナから送信するとともに、アンテナから受信した高周波信号を成形し、信号処理部６０２へ伝送する役割を果たす。
【０００７】
信号処理部６０２は、信号の変調および復調等の信号処理を行う。ファン６０３は、定電圧源６０４から直流電圧の供給を受け、その直流電圧に応じた回転数によって送風を行い、無線部６０１や信号処理部６０２などを冷却する。
【０００８】
プロセッサ６０５は、メモリ６０６に保存されている情報を基に、信号処理部６０２と信号のやりとりを行い、必要な演算処理を行う。
【０００９】
ファン６０３の回転数を定電圧で制御することは簡易な構成ではあるが、無線通信環境によって無線部６０１や信号処理部６０２における処理が異なり、それに伴う温度上昇の度合いが変化するため、ファン６０３を駆動する電圧が小さいと充分な冷却効果が得られないし、逆に、ファン６０３を駆動する電圧が大きすぎると、消費電力が上昇し騒音が増大するといった課題が生じる。
【００１０】
このような課題に対して、特許文献１においては、無線通信装置（図６に示す無線伝送装置６００に相当）から送信される送信出力レベルを監視し、この送信出力レベル情報とファンの風量情報を予め対応付け、送信出力レベル情報に対応した風量になるようにファンの回転数を制御して無線通信装置を冷却することにより、電力消費を抑制する技術が開示されている。
【００１１】
また、特許文献２においては、信号を送信する電力増幅手段と、電力増幅手段の温度を感知する温度感知手段と、電力増幅手段を冷却する冷却手段とを備え、信号送信時に、温度感知手段によって感知された温度が所定の閾値を超えた場合に、冷却手段により電力増幅手段を冷却することにより、電力増幅手段におけるひずみを低減させ、デバイスの温度が安全なレベルを保つことができる無線通信装置に関する技術が開示されている。
【００１２】
また、特許文献３においては、装置を冷却するための冷却用ファンを複数備える冷却部と、温度センサが検出する装置内の温度に応じて、冷却用ファンの回転数を制御する回転数制御部と、冷却用ファンによる騒音が所定のレベル以下となるように、装置内の発熱量を制御する発熱制御部を備えることにより、騒音を過度に上昇しないようにすることができる無線基地局装置に関する技術が開示されている。
【先行技術文献】
【特許文献】
【００１３】
【特許文献１】特開２００７−２９５２４７号公報
【特許文献２】特開２００６−７４６７３号公報
【特許文献３】特開２００８−４２５９７号公報
【発明の概要】
【発明が解決しようとする課題】
【００１４】
しかしながら、特許文献１〜３に開示されている従来の方法においては、温度センサで温度を検知する場合には、部品（温度センサ）が追加で必要となることから、無線装置の小型化やコスト面で影響を与える可能性があるという課題があった。また、特許文献１〜３に開示されている従来の方法は、無線送信装置における無線通信状態に関する情報に基づき、無線送信装置のみを冷却制御する方法であり、無線受信装置における受信状態を含めた実質的な無線通信状態に基づいた冷却制御にはなっていないという課題があった。
【００１５】
本発明は、このような課題に鑑みてなされたものであり、温度センサのような追加部品を使用することなく、無線受信装置における受信状態を含めた実質的な無線通信状態に関する情報を検知し、検知した無線通信状態に関する情報に基づき無線送信装置および／または無線受信装置の冷却制御を行うことにより、無線通信の品質を維持・向上させ、消費電力や騒音を抑制することが可能な無線通信システムおよび無線受信装置を提供することを目的とする。
【課題を解決するための手段】
【００１６】
上記目的を達成するために、本願の第１の発明の無線通信システムは、無線送信装置と少なくとも１つの無線受信装置とで構成され、互いに無線通信を行う無線通信システムであって、前記無線受信装置は、前記無線送信装置から送信された無線情報を受信するとともに、前記無線送信装置に対して無線情報を送信する無線手段Ａと、前記無線送信装置から送信された無線情報を前記無線手段Ａから受け取って信号処理を行う信号処理手段Ａと、前記無線送信装置との間の無線通信が良好な状態であるか否かを表す通信状態情報を、所定の時刻毎に検知する検知手段Ａと、前記無線受信装置を構成する各手段の内、少なくとも前記無線手段Ａを冷却する冷却手段Ａと、前記検知手段Ａが検知した前記通信状態情報に基づき、前記冷却手段Ａの冷却能力を制御する制御手段Ａと、を備えたことを特徴とするものである。
【００１７】
また、本願の第２の発明の無線通信システムは、本願の第１の発明の無線通信システムにおいて、前記通信状態情報は、受信電力の大きさを表す情報、またはパケットエラーレートに関する情報、または前記無線手段Ａにおける受信増幅器の増幅量をコントロールする電圧に関する情報であることを特徴とするものである。
【００１８】
また、本願の第３の発明の無線通信システムは、本願の第１の発明の無線通信システムにおいて、前記制御手段Ａは、前記通信状態情報と前記冷却手段Ａの冷却能力に関する数値を関連付けた相関テーブルを保持し、前記相関テーブルに基づき、前記検知手段Ａにおいて所定の時間毎に検知される前記通信状態情報から前記数値を算出し、算出した前記数値に基づいて前記冷却手段Ａの冷却能力を制御することを特徴とするものである。
【００１９】
また、本願の第４の発明の無線通信システムは、本願の第１の発明の無線通信システムにおいて、前記制御手段Ａは、前記検知手段Ａにおいて所定の時刻毎に検知される前記通信状態情報を、少なくとも１つ前に検知された前記通信状態情報と比較して、通信状態が良化したか悪化したかを判断し、良化したと判断した場合には、前記冷却手段Ａの冷却能力を所定量低下させるように制御し、悪化したと判断した場合には、前記冷却手段Ａの冷却能力を所定量高めるように制御することを特徴とするものである。
【００２０】
また、本願の第５の発明の無線通信システムは、本願の第１〜第４の発明の無線通信システムにおいて、前記無線送信装置は、前記無線受信装置に対して無線送信を行うとともに、前記無線受信装置から送信された無線情報を受信する無線手段Ｂと、無線送信するための信号の処理を行って前記無線手段Ｂに渡すとともに、前記無線受信装置から送信された無線情報を前記無線手段Ｂから受け取って信号処理を行う信号処理手段Ｂと、前記無線手段Ｂから送信される無線送信電力に関する情報あるいは前記無線受信装置から受信した無線情報に含まれる前記通信状態情報を、所定の時刻毎に検知する検知手段Ｂと、前記無線送信装置を構成する各手段の内、少なくとも前記無線手段Ｂを冷却する冷却手段Ｂと、前記検知手段Ｂが検出した情報に基づき、前記冷却手段Ｂの冷却能力を制御する制御手段Ｂと、を備えたことを特徴とするものである。
【００２１】
また、本願の第６の発明の無線通信システムは、本願の第５の発明の無線通信システムにおいて、前記制御手段Ｂは、前記無線送信電力に関する情報あるいは前記通信状態情報と、前記冷却手段Ｂの冷却能力に関する数値を関連付けた相関テーブルを保持し、前記相関テーブルに基づき、前記検知手段Ｂにおいて所定の時刻毎に検知される前記無線送信電力に関する情報あるいは前記通信状態情報から前記数値を算出し、算出した前記数値に基づいて前記冷却手段Ｂの冷却能力を制御することを特徴とするものである。
【００２２】
また、本願の第７の発明の無線通信システムは、本願の第５の発明の無線通信システムにおいて、前記制御手段Ｂは、前記検知手段Ｂにおいて所定の時刻毎に検知される前記無線送信電力に関する情報あるいは前記通信状態情報を、少なくとも１つ前に検知された前記通信状態情報と比較して、通信状態が良化したか悪化したかを判断し、良化したと判断した場合には、前記冷却手段Ｂの冷却能力を所定量低下させるように制御し、悪化したと判断した場合には、前記冷却手段Ｂの冷却能力を所定量高めるように制御することを特徴とするものである。
【００２３】
また、本願の第８の発明の無線受信装置は、無線送信装置から送信される無線情報を受信する無線受信装置であって、前記無線送信装置から送信された無線情報を受信する無線手段と、前記無線送信装置から送信された無線情報を前記無線手段から受け取って信号処理を行う信号処理手段と、前記無線送信装置との間の無線通信が良好な状態であるか否かを表す通信状態情報を、所定の時刻毎に検知する検知手段と、自装置を構成する各手段の内、少なくとも前記無線手段を冷却する冷却手段と、前記検知手段が検知した前記通信状態情報に基づき、前記冷却手段の冷却能力を制御する制御手段と、を備えたことを特徴とするものである。
【００２４】
また、本願の第９の発明の無線受信装置は、本願の第８の発明の無線受信装置において、前記通信状態情報は、受信電力の大きさを表す情報、またはパケットエラーレートに関する情報、または前記無線手段における受信増幅器の増幅量をコントロールする電圧に関する情報であることを特徴とするものである。
【００２５】
また、本願の第１０の発明の無線受信装置は、本願の第８の発明の無線受信装置において、前記制御手段は、前記通信状態情報と前記冷却ファンの冷却能力に関する数値を関連付けた相関テーブルを保持し、前記相関テーブルに基づき、前記検知手段において所定の時刻毎に検知される前記通信状態情報から前記数値を算出し、算出した前記数値に基づいて前記冷却ファンの冷却能力を制御することを特徴とするものである。
【００２６】
また、本願の第１１の発明の無線受信装置は、本願の第８の発明の無線受信装置において、前記制御手段は、前記検知手段において所定の時刻毎に検知される前記通信状態情報を、少なくとも１つ前に検知された前記通信状態情報と比較して、通信状態が良化したか悪化したかを判断し、良化したと判断した場合には、前記冷却手段の冷却能力を所定量低下させるように制御し、悪化したと判断した場合には、前記冷却手段の冷却能力を所定量高めるように制御することを特徴とするものである。
【発明の効果】
【００２７】
無線受信装置における無線受信状態の良否レベルを表す通信状態情報に応じて、無線受信装置における冷却手段のみならず、無線送信装置における冷却手段の冷却能力を制御することができるので、無線通信における通信品質の維持・向上を図るとともに、消費電力や騒音の抑制を図ることが可能となる。
【図面の簡単な説明】
【００２８】
【図１】本発明の実施の形態１に係る無線送信装置の構成を示すブロック図
【図２】本発明の実施の形態１に係る無線受信装置の構成を示すブロック図
【図３】本発明の実施の形態２に係る無線送信装置と無線受信装置で構成される無線通信システムの構成を示すブロック図
【図４】本発明の実施の形態３に係る無線送信装置の構成を示すブロック図
【図５】本発明の実施の形態３に係る無線受信装置の構成を示すブロック図
【図６】従来の一般的な無線伝送装置の構成を示すブロック図
【発明を実施するための形態】
【００２９】
以下に、本発明を実施するための形態について、図面を参照しながら説明する。
【００３０】
（実施の形態１）
図１は、本発明の実施の形態１に係る無線送信装置の構成を示すブロック図である。
【００３１】
図１において、無線送信装置１００は、無線部１０１、信号処理部１０２、検知部１０３、冷却ファン１０４、Ｄ／Ａコンバータ（ＤＡＣ）１０５、Ａ／Ｄコンバータ（ＡＤＣ）１０６、プロセッサ１０７およびメモリ１０８で構成されている。
【００３２】
無線部１０１は、アンテナなどを含む高周波回路のブロックであり、信号処理部１０２は、無線信号の変復調処理回路や映像信号処理回路などを含むブロックであり、検知部１０３は、無線伝送電力や無線通信状態の良否レベルを表す情報、言い換えると、無線通信が良好な状態であるか否かを表す情報（以下、通信状態情報と称す）を検知する回路を含むブロックである。
【００３３】
無線送信装置１００においては、外部機器（図示せず）から入力される映像などのデータ信号を、信号処理部１０２においてデジタル信号からアナログ信号へ変換した後、無線伝送に適した変調処理を施し、その変調処理を施して生成した変調信号を、無線部１０１において波形整形して無線周波数信号に重畳させ、信号増幅等を行った後にアンテナから電波として放射する。
【００３４】
特に、高出力の無線送信装置１００においては、無線部１０１、信号処理部１０２およびプロセッサ１０７等での消費電力の増大に伴う発熱が大きくなることから、無線送信能力の劣化といった課題が生じる。
【００３５】
そのため、冷却ファン１０４などを用いて、無線送信装置１００内の発熱が大きいブロックなどを空冷することで、無線送信装置１００内の温度を下げ、無線送信能力の劣化を防ぐための手立てを取っている。
【００３６】
しかし、冷却ファン１０４を高電圧で動作させることは、消費電力を増加させるとともに騒音を発生させるといった新たな課題を生じさせることになるので、冷却ファン１０４の動作電圧は、無線通信状態に応じて変化させ、無線通信状態に適応させることが重要となる。
【００３７】
検知部１０３は、無線部１０１から送信される無線送信電力を、所定の時刻毎に検知して検知信号を取得し、その検知信号をＡ／Ｄコンバータ１０６に送信し、Ａ／Ｄコンバータ１０６は、検知部１０３から受信した検知信号をデジタル信号に変換し、デジタル信号に変換した検知信号をプロセッサ１０７へ送信する。
【００３８】
プロセッサ１０７は、メモリ１０８に格納されている検知信号（例えば、無線送信電力）と冷却ファン１０４の駆動電圧との関係を示したデータテーブル（相関テーブル）を基に、Ａ／Ｄコンバータ１０６から受信した検知信号から冷却ファン１０４の駆動電圧を算出し、算出した駆動電圧をＤ／Ａコンバータ１０５に送信する。Ｄ／Ａコンバータ１０５は、プロセッサ１０７から受信した駆動電圧をアナログ信号に変換し、アナログ信号に変換した冷却ファン１０４の駆動電圧を冷却ファン１０４へ給電する。
【００３９】
以上のように制御することは、無線部１０１に無線送信電力のコントロール機能が備わっている場合に有効であり、無線送信電力が大きいときは無線部１０１内のパワーアンプでの消費電力が大きいことから発熱が大きくなるので、無線送信電力が大きいときは冷却ファン１０４の駆動電圧を上げ、逆に、無線送信電力が小さいときは冷却ファン１０４の駆動電圧を下げるように制御する。
【００４０】
なお、無線送信電力は無線部１０１内のパワーアンプにおける増幅量に比例するため、パワーアンプに印加される制御電圧を検知することでも、同様の制御は可能であり、同様の効果を得ることが可能である。
【００４１】
次に、図２を用いて、本発明の実施の形態１に係る無線受信装置２００について説明する。なお、図２は、本発明の実施の形態１に係る無線受信装置の構成を示すブロック図である。
【００４２】
図２において、無線受信装置２００は、無線部２０１、信号処理部２０２、検知部２０３、冷却ファン２０４、Ｄ／Ａコンバータ（ＤＡＣ）２０５、Ａ／Ｄコンバータ（ＡＤＣ）２０６、プロセッサ２０７およびメモリ２０８で構成されている。
【００４３】
ここで、特許請求の範囲に記載の無線受信装置における各手段と図２に記載の各構成要素（ブロック）との関連を説明すると、無線手段は無線部２０１に、信号処理手段は信号処理部２０２に、検知手段は検知部２０３に、冷却手段は冷却ファン２０４にそれぞれ相当し、制御手段は、Ｄ／Ａコンバータ２０５、Ａ／Ｄコンバータ２０６、プロセッサ２０７およびメモリ２０８で構成される。
【００４４】
無線受信装置２００においては、無線部２０１が、自らが備えるアンテナにより無線送信装置１００から送信された電波（無線情報）を受信し、受信した高周波数信号の増幅、信号処理周波数への周波数変換、および波形成形等を行った後に信号処理部２０２へ送信する。信号処理部２０２は、無線部２０１から受信した信号の復調処理や、自装置の外部に接続された外部機器（図示せず）に適した信号への変換を行い、外部機器（図示せず）へ出力する。
【００４５】
このような無線受信装置２００においても、無線送信装置１００と同様に、無線部２０１に備わっているアンプ（受信増幅器）の出力が大きくなると、消費電力が大きくなるため発熱が大きくなる。また、このアンプも無線通信状態の通信状態情報に応じて、出力状態を変動させるのが一般的であるため、冷却ファン２０４の駆動電圧を最適な状態に制御することが必要となる。
【００４６】
次に、無線受信装置２００における冷却ファン２０４の駆動電圧制御について説明する。
【００４７】
信号処理部２０２において、一般的には、受信電力の大きさを示すＲＳＳＩ（Ｒｅｃｅｉｖｅｄ  Ｓｉｇｎａｌ  Ｓｔｒｅｎｇｔｈ  Ｉｎｄｉｃａｔｉｏｎ）、パケットエラーレート（ＰＥＲ）、および受信増幅器の増幅量をコントロールしている電圧を検知するなどにより、無線通信における受信状態の良否レベルを判断することができる。
【００４８】
まず、検知部２０３は、信号処理部２０２から受信電力の大きさを示すＲＳＳＩや、パケットエラーレート（ＰＥＲ）、および受信増幅器の増幅量をコントロールしている電圧などの通信状態情報を検知して、無線通信における受信状態の良否レベルを表す検知信号を取得し、その検知信号をＡ／Ｄコンバータ２０６に送信する。
【００４９】
Ａ／Ｄコンバータ２０６は、検知部２０３から受信したアナログ信号である検知信号をデジタル信号に変換し、デジタル信号に変換した検知信号をプロセッサ２０７に送信する。
【００５０】
プロセッサ２０７は、メモリ２０８に格納されている受信状態の良否レベルを表す検知信号と冷却ファン２０４の駆動電圧との関係を示したデータテーブル（相関テーブル）を基に、Ａ／Ｄコンバータ２０６から受信した検知信号から冷却ファン２０４の駆動電圧を算出し、算出した冷却ファン２０４の駆動電圧をＤ／Ａコンバータ２０５に送信する。Ｄ／Ａコンバータ２０５は、プロセッサ２０７から受信した冷却ファン２０４の駆動電圧をアナログ信号に変換し、アナログ信号に変換した駆動電圧を冷却ファン２０４へ給電する。
【００５１】
以上のように制御することにより、無線受信装置２００においても、無線送信装置１００と同様に、通信状態情報に応じて効果的に冷却ファン２０４の冷却能力を制御することにより、無線通信における受信品質を維持あるいは向上させることが可能となる。
【００５２】
（実施の形態２）
次に、図３を用いて、本発明の実施の形態２に係る無線送信装置３００と無線受信装置３５０で構成される無線通信システムについて説明する。なお、図３は、本発明の実施の形態２に係る無線送信装置と無線受信装置で構成される無線通信システムの構成を示すブロック図である。
【００５３】
図３においては、図１および図２に示す本発明の実施の形態１に係る無線送信装置１００および無線受信装置２００と同じ構成要素（ブロック）については同じ符号を付し、ここでは説明を省略する。
【００５４】
ここで、特許請求の範囲に記載の無線通信システムを構成する無線送信装置および無線受信装置における各手段と、図３に記載の各構成要素（ブロック）との関連を説明すると、無線手段Ｂは無線部３０１に、信号処理手段Ｂは信号処理部３０２に、検知手段Ｂは検知部１０３に、冷却手段Ｂは冷却ファン１０４にそれぞれ相当し、制御手段Ｂは、Ｄ／Ａコンバータ１０５、Ａ／Ｄコンバータ１０６、プロセッサ１０７およびメモリ１０８で構成され、無線手段Ａは無線部３５１に、信号処理手段Ａは信号処理部３５２に、検知手段Ａは検知部２０３に、冷却手段Ａは冷却ファン２０４にそれぞれ相当し、制御手段Ａは、Ｄ／Ａコンバータ２０５、Ａ／Ｄコンバータ２０６、プロセッサ２０７およびメモリ２０８で構成される。
【００５５】
無線受信装置３５０の無線部３５１は、無線送信装置３００の無線部３０１から送信された無線信号（無線情報）を受信すると、無線送信装置３００に対して、動作の完了を知らせる信号であるＡＣＫ（ＡＣＫｎｏｗｌｅｄｇｅｍｅｎｔ）信号を送信する。このＡＣＫ信号には、無線受信装置３５０におけるＰＥＲ情報などの無線受信状態の良否レベルを表す情報、すなわち、無線通信状態の良否レベルを表す通信状態情報を付与することができ、無線受信装置３５０における無線受信状態の良し悪しを無線送信装置３００へ伝達することが可能である。
【００５６】
無線受信装置３５０においては、本発明の実施の形態１と同様にして、ＰＥＲ情報等の情報を基に、無線受信状態の良否レベルに応じて冷却ファン２０４の駆動電圧を制御する。
【００５７】
無線送信装置３００においては、信号処理部３０２が、無線部３０１を介して無線受信装置３５０から受信したＡＣＫ信号から、無線受信装置３５０における無線受信状態の通信状態情報を検知し、検知した通信状態情報をプロセッサ１０７へ送信する。
【００５８】
プロセッサ１０７は、メモリ１０８に格納されている通信状態情報と冷却ファン１０４の駆動電圧との関係を示したデータテーブル（相関テーブル）を基に、検知した通信状態情報から駆動電圧を算出し、算出した駆動電圧をＤ／Ａコンバータ１０５に送信する。
【００５９】
Ｄ／Ａコンバータ１０５は、プロセッサ１０７から受信した冷却ファン１０４の駆動電圧をアナログ信号に変換し、冷却ファン１０４へ給電する。
【００６０】
無線通信状態が良好なときには、無線送信装置３００から送信する無線送信電力を低下させることなどが可能で、送信状態に余裕があるため、冷却ファン１０４の駆動電圧を下げても問題はない。逆に、無線通信状態が悪いときには、少しでも送信状態を良くしなければならないため、冷却ファン１０４の駆動電圧を上げて冷却ファン１０４の冷却能力を高めることにより、無線部３０１の動作状態を良化させる必要がある。
【００６１】
なお、無線送信装置３００は、無線受信装置３５０からＡＣＫ信号が返信されない、もしくは、ＮＡＣＫ（Ｎｅｇａｔｉｖｅ  Ａｃｋｎｏｗｌｅｄｇｍｅｎｔ）信号が返信された場合には、無線通信状態が悪いと判断し、冷却ファン１０４の駆動電圧を上げることにより、無線部３０１の動作状態を良化させる。
【００６２】
また、無線送信装置３００における無線部３０１と信号処理部３０２、および無線受信装置３５０における無線部３５１と信号処理部３５２は、上述した機能に加えて、それぞれ、本発明の実施の形態１に係る無線送信装置１００における無線部１０１と信号処理部１０２、および無線受信装置２００における無線部２０１と信号処理部２０２、と同様の機能を備えている。
【００６３】
また、本発明の実施の形態２においては、無線送信装置３００と無線受信装置３５０が１対１で構成される無線通信システムを例に挙げて説明したが、これに限るものではなく、例えば、無線送信装置３００と複数の無線受信装置３５０で構成される無線通信システムであってもかまわない。
【００６４】
以上のように制御することにより、無線受信装置３５０における無線受信状態の良否レベルを表す通信状態情報に応じて、無線受信装置３５０における冷却ファン２０４のみならず、無線送信装置３００における冷却ファン１０４の冷却能力を制御することができるので、より一層無線通信における通信品質の維持・向上を図るとともに、消費電力や騒音の抑制を図ることが可能となる。
【００６５】
（実施の形態３）
次に、図４を用いて、本発明の実施の形態３に係る無線送信装置４００の構成について説明する。なお、図４は、本発明の実施の形態３に係る無線送信装置の構成を示すブロック図である。
【００６６】
図４において、本発明の実施の形態３に係る無線送信装置４００が図１に示す本発明の実施の形態１に係る無線送信装置１００と異なる点は、プロセッサ１０７に替えて比較器４０１を備えている点であり、それ以外の構成要素（ブロック）については、無線送信装置１００の構成要素と同じであるので、同じ符号を付し説明を省略する。
【００６７】
無線送信装置４００は、本発明の実施の形態１および２と同様、無線送信電力、無線部１０１内のパワーアンプの制御電圧、もしくは、後述する無線受信装置５００からのＰＥＲ情報などの無線受信状態の良否レベルを表す通信状態情報が付加されたＡＣＫ信号を基に、冷却ファン１０４の駆動電圧を制御する。
【００６８】
この際、検知部１０３は、所定の時刻毎に無線部１０１における無線通信状態の良否レベルを表す通信状態情報を検知信号として検知・取得し、その検知・取得した検知信号をＡ／Ｄコンバータ１０６に送信する。Ａ／Ｄコンバータ１０６は、検知部１０３から受信した検知信号をデジタル信号に変換する。デジタル信号に変換された検知信号は、比較器４０１を介して一旦メモリ１０８に保存される。
【００６９】
比較器４０１は、メモリ１０８に保存されている検知信号と、該検知信号の次のタイミング（次の所定の時刻）で検知された検知信号とを比較して、無線通信状態が良くなっているか／悪くなっているかを判断し、無線通信状態が良くなっていると判断した場合には、冷却ファン１０４の駆動電圧を所定量下げて出力し、逆に、無線通信状態が悪くなっていると判断した場合には、冷却ファン１０４の駆動電圧を所定量上げて出力する。なお、無線通信状態が良くも悪くもなっていないと判断した場合には、冷却ファン１０４の現在の駆動電圧を維持した状態で出力する。
【００７０】
比較器４０１から出力された冷却ファン１０４の駆動電圧は、Ｄ／Ａコンバータ１０５でアナログ信号に変換された後、冷却ファン１０４に供給される。
【００７１】
次に、図５を用いて、本発明の実施の形態３に係る無線受信装置５００の構成について説明する。なお、図５は、本発明の実施の形態３に係る無線受信装置の構成を示すブロック図である。
【００７２】
図５において、本発明の実施の形態３に係る無線受信装置５００が図２に示す本発明の実施の形態１に係る無線受信装置２００と異なる点は、プロセッサ２０７に替えて比較器５０１を備えている点であり、それ以外の構成要素（ブロック）については、無線受信装置２００の構成要素と同じであるので、同じ符号を付し説明を省略する。
【００７３】
ここで、特許請求の範囲に記載の無線送信装置および無線受信装置における制御手段と、図４および図５に記載の各構成要素（ブロック）との関連を説明すると、制御手段Ｂは、Ｄ／Ａコンバータ１０５、Ａ／Ｄコンバータ１０６、比較器４０１およびメモリ１０８で構成され、制御手段または制御手段Ａは、Ｄ／Ａコンバータ２０５、Ａ／Ｄコンバータ２０６、比較器５０１およびメモリ２０８で構成される。
【００７４】
無線受信装置５００は、本発明の実施の形態１および２と同様に、信号処理部２０２よりＲＳＳＩ、ＰＥＲ、あるいは受信増幅器の制御電圧などの無線受信状態の良否レベルを表す通信状態情報を検知信号として検知・取得し、その検知・取得した検知信号に基づいて冷却ファン２０４の駆動電圧を制御する。
【００７５】
この際、検知部２０３は、所定の時刻毎に信号処理部２０２における無線受信状態の良否レベルを表す通信状態情報を検知信号として検知・取得し、その検知・取得した検知信号をＡ／Ｄコンバータ２０６に送信する。Ａ／Ｄコンバータ２０６は、検知部２０３から受信した検知信号をデジタル信号に変換する。デジタル信号に変換された検知信号は、比較器５０１を介して一旦メモリ２０８に保存される。
【００７６】
比較器５０１は、メモリ２０８に保存されている検知信号と、該検知信号の次のタイミングで検知された検知信号とを比較して、無線受信状態が良くなっているか／悪くなっているかを判断し、無線受信状態が良くなっていると判断した場合には、冷却ファン２０４の駆動電圧を所定量下げて出力し、逆に、無線通信状態が悪くなっていると判断した場合には、冷却ファン２０４の駆動電圧を所定量上げて出力する。なお、無線受信状態が良くも悪くもなっていないと判断した場合には、冷却ファン２０４の現在の駆動電圧を維持した状態で出力する。
【００７７】
比較器５０１から出力された冷却ファン２０４の駆動電圧は、Ｄ／Ａコンバータ２０５でアナログ信号に変換された後、冷却ファン２０４に供給される。
【００７８】
以上のように構成することにより、メモリ２０８において無線受信状態の良否レベルを表す検知信号と冷却ファン２０４の駆動電圧との相関テーブルを保持しなくても、簡単なデータの比較処理により、無線受信状態に対応した冷却ファン２０４による冷却制御を行うことが可能となる。
【００７９】
なお、本発明の実施の形態３においては、比較器４０１および５０１が、隣接するタイミングで検知された検知信号（通信状態情報）を比較する場合を例に挙げて説明したが、これに限るものではなく、複数離れたタイミング（所定の時刻）で検知された検知信号（通信状態情報）を比較するようにしてもかまわない。
【００８０】
また、本発明の実施の形態３においては、本発明の実施の形態１における無線送信装置１００および無線受信装置２００を基本にして、無線送信装置１００および無線受信装置２００におけるプロセッサ１０７および２０７の替わりに、それぞれ比較器４０１および５０１を備える場合を例に挙げて説明したが、本発明の実施の形態２における無線送信装置３００および無線受信装置３５０を基本にして、無線送信装置３００および無線受信装置３５０におけるプロセッサ１０７および２０７の替わりに、それぞれ比較器４０１および５０１を備える場合においても同様の効果を発揮できることは明らかである。
【００８１】
また、本発明の実施の形態１〜３においては、無線送信装置および無線受信装置における冷却手段を、冷却ファンを用いた空冷方式を例に挙げて説明したが、これに限るものではなく、例えば、水冷式の冷却手段を用いてもかまわない。
【産業上の利用可能性】
【００８２】
本発明に係る無線通信システムおよび無線受信装置は、無線通信における通信品質の維持・向上に活用することができる。
【符号の説明】
【００８３】
１００  無線送信装置
１０１  無線部
１０２  信号処理部
１０３  検知部
１０４  冷却ファン
１０５  Ｄ／Ａコンバータ
１０６  Ａ／Ｄコンバータ
１０７  プロセッサ
１０８  メモリ
２００  無線受信装置
２０１  無線部
２０２  信号処理部
２０３  検知部
２０４  冷却ファン
２０５  Ｄ／Ａコンバータ
２０６  Ａ／Ｄコンバータ
２０７  プロセッサ
２０８  メモリ
３００  無線送信装置
３０１  無線部
３０２  信号処理部
３５０  無線受信装置
３５１  無線部
３５２  信号処理部
４００  無線送信装置
４０１  比較器
５００  無線受信装置
５０１  比較器
６００  無線伝送装置
６０１  無線部
６０２  信号処理部
６０３  ファン
６０４  定電圧源
６０５  プロセッサ
６０６  メモリ
【図１】
2011087216.tif 000003
【図２】
2011087216.tif 000004
【図３】
2011087216.tif 000005
【図４】
2011087216.tif 000006
【図５】
2011087216.tif 000007
【図６】
2011087216.tif 000008